(57)【要約】【課題】透水性を確保すると共に、表面側に雑草が露出することを防止できる防草人工芝を提供する。【解決手段】防草人工芝１は、マルチフィラメント糸から成る縦糸１０ａと横糸１０ｂで編んだ基布地１０と、基布地に所定間隔でタフティングされる人工芝用パイル１１とを備え、縦糸は、約２２本／２５．４ｍｍのマルチフィラメント糸を備え、横糸は、約２０本／２５．４ｍｍのマルチフィラメント糸を備える。【選択図】図１
2019138048.tif 000002
【特許請求の範囲】
【請求項１】
マルチフィラメント糸から成る縦糸と横糸で編んだ基布地と、
前記基布地に所定間隔でタフティングされる人工芝用パイルとを備え、
前記縦糸は、約２２本／２５．４ｍｍのマルチフィラメント糸を備え、
前記横糸は、約２０本／２５．４ｍｍのマルチフィラメント糸を備える防草人工芝。
【請求項２】
前記マルチフィラメント糸は、ポリプロピレンまたはポリエチレンテレフタレートで形成される請求項１に記載の防草人工芝。
【請求項３】
前記基布地の裏面および該裏面に露出する前記人工芝用パイルのバックステッチ部に、パイル固定用接着剤が塗布される請求項１または請求項２に記載の防草人工芝。
【請求項４】
前記パイル固定用接着剤は、ラテックスを含み、粘度は１０００（ｍＰａ・ｓ）を有する請求項３に記載の防草人工芝。
【発明の詳細な説明】
【技術分野】
【０００１】
本実施の形態は、防草人工芝に関する。
【背景技術】
【０００２】
人工芝（人工芝生）は、野球場、サッカー場、テニスコート等のスポーツ用途や、公園、学校、家庭庭園などに幅広く利用されている。
【０００３】
ここで、比較的広い面積に人工芝を敷設する場合に、雨などによって人工芝上に溜まった水を排水するために、人工芝自体に透水性が要求される。
【０００４】
透水性を備えた人工芝に関する技術は種々提案されている。
【先行技術文献】
【特許文献】
【０００５】
【特許文献１】特開平４−１２４３０１号公報
【特許文献２】特開昭５８−２００７０６号公報
【発明の概要】
【発明が解決しようとする課題】
【０００６】
ところが、透水性を確保した人工芝を地面に敷設した場合、排水路を構成する孔等から雑草が生えて、人工芝の表面側に露出するという不具合がある。
【０００７】
このように、人工芝から雑草が露出した場合には、美観を損なうと共に、雑草抜き等のメンテナンスが必要となり管理費が嵩むという問題があった。
【０００８】
また、人工芝から雑草が露出する事態を防ぐために、人工芝と地面との間に防草シートを敷設する場合には、人工芝敷設に要する工数が増えると共に、敷設費用が嵩むという問題がある。
【０００９】
本実施の形態は、透水性を確保すると共に、表面側に雑草が露出することを防止できる防草人工芝を提供する。
【課題を解決するための手段】
【００１０】
本実施の形態の一態様によれば、マルチフィラメント糸から成る縦糸と横糸で編んだ基布地と、前記基布地に所定間隔でタフティングされる人工芝用パイルとを備え、前記縦糸は、約２２本／２５．４ｍｍのマルチフィラメント糸を備え、前記横糸は、約２０本／２５．４ｍｍのマルチフィラメント糸を備える防草人工芝が提供される。
【発明の効果】
【００１１】
本実施の形態によれば、透水性を確保すると共に、表面側に雑草が露出することを防止できる防草人工芝を提供することができる。
【図面の簡単な説明】
【００１２】
【図１】（ａ）実施の形態に係る防草人工芝の外観を示す撮像図、（ｂ）概略構成を示す断面図。
【図２】実施の形態に係る防草人工芝に適用される基布地の構成例を示す撮像図。
【図３】実施の形態に係る防草人工芝の裏面側の構成例を示す撮像図。
【図４】（ａ）比較例に係る防草人工芝の外観を示す撮像図、（ｂ）概略構成を示す断面図。
【図５】比較例に係る防草人工芝に適用される基布地と不織布の接合体の構成例を示す撮像図。
【図６】比較例に係る防草人工芝の裏面側の構成例を示す撮像図。
【発明を実施するための形態】
【００１３】
次に、図面を参照して、実施の形態を説明する。以下の図面の記載において、同一又は類似の部分には同一又は類似の符号を付している。
【００１４】
また、以下に示す実施の形態は、技術的思想を具体化するための装置や方法を例示するものであって、構成部品の材質、形状、構造、配置等を下記のものに特定するものではない。この実施の形態は、特許請求の範囲において、種々の変更を加えることができる。
【００１５】
［実施の形態に係る防草人工芝］
図１〜図３を参照して実施の形態に係る防草人工芝１について説明する。
【００１６】
ここで、図１（ａ）は、実施の形態に係る防草人工芝１の外観を示す撮像図、図１（ｂ）は、防草人工芝１の概略構成を示す断面図、図２は、防草人工芝１に適用される基布地１０の構成例を示す撮像図、図３は、防草人工芝１の裏面側の構成例を示す撮像図である。
【００１７】
実施の形態に係る防草人工芝１は、マルチフィラメント糸から成る縦糸１０ａと横糸１０ｂで編んだ基布地１０と、基布地１０に所定間隔でタフティングされる人工芝用パイル１１とから構成されている。
【００１８】
そして、基布地１０を構成する縦糸１０ａは、約２２本／２５．４ｍｍ（１インチ）のポリプロピレン製のマルチフィラメント糸で構成され、横糸１０ｂは、約２０本／２５．４ｍｍ（１インチ）のポリプロピレン製またはポリエチレンテレフタレート製のマルチフィラメント糸で構成されている。
【００１９】
このような構成の基布地１０は、不織布等を貼付しなくとも単体で十分な強度を確保できる。また、基布地１０は、後述のように人工芝用パイル１１をタフティング（植え込み）した際に、押し広げられてある程度の隙間が形成されるが、その隙間は透水性を確保すると共に、雑草が防草人工芝１上に露出することを防止できる程度とされる。
【００２０】
防草人工芝１は、より具体的には、図２に示すように縦糸１０ａと横糸１０ｂで編まれた基布地１０に対して、タフティング機（タフティングマシン）等を用いて、人工芝用パイル１１をタフティングして構成される。
【００２１】
ここで、タフティング機とは、人工芝の製造に用いられる芝糸植え込み用の機械のことであり、ミシンに似た原理で基布地１０に人工芝用パイル１１を所望の間隔や密度で植え込むことができる。
【００２２】
人工芝用パイル１１は、ポリプロピレン等の樹脂によって天然芝を模した繊維状に成形され、緑色等に着色したものが用いられる。人工芝用パイル１１の長さは、基布地１０の表側への露出部１１ａの長さが、例えば１０ｍｍ〜５０ｍｍ程度となるように選定される。
【００２３】
図１、図３等に示すように、タフティング（植え込み）された基布地１０の裏側には、人工芝用パイル１１のＵ字状のバックステッチ部１１ｂが露出する。
【００２４】
ここで、基布地１０の裏面および裏面に露出する人工芝用パイル１１のバックステッチ部１１ｂに、パイル固定用接着剤を塗布するようにしてもよい。
【００２５】
パイル固定用接着剤は、ラテックス（ＳＢＲ：スチレン−ブタジエン−ゴム）を含み、粘度は１０００（ｍＰａ・ｓ）とするとよい。このように、従来のパイル固定用接着剤の粘度（例えば、１４０００（ｍＰａ・ｓ））に比して低い粘度のパイル固定用接着剤を用いることにより、基布地１０の隙間がパイル固定用接着剤で塞がれないようにでき、透水性を確保することができる。
【００２６】
また、このようにパイル固定用接着剤を塗布することにより、防草人工芝１を裏面側から補強できると共に、人工芝用パイル１１の抜け落ちを抑制して、耐久性を向上することができる。
【００２７】
また、基布地１０に不織布を貼付する必要がないため、不織布に必要以上にパイル固定用接着剤が吸収されて、透水性を損なうこともない。
【００２８】
このような構成を備える防草人工芝１は、透水性を確保すると共に、表面側に雑草が露出することを防止することができる。これにより、防草人工芝１上に、雨水等が溜まる事態を回避できる。また、防草人工芝１上に雑草が露出することがないので、美観を損なうことがなく、雑草抜き等のメンテナンスも不要となり管理コストを削減することができる。
【００２９】
また、後述の比較例に係る防草人工芝１００等に比して、不織布等を用いる必要がないため、敷設に要するコストの低廉化を図ることができる。
【００３０】
［比較例に係る防草人工芝］
図４〜図６を参照して比較例に係る防草人工芝１００について説明する。
【００３１】
ここで、図４（ａ）は、比較例に係る防草人工芝１００の外観を示す撮像図、図４（ｂ）は、防草人工芝１００の概略構成を示す断面図、図５は、防草人工芝１００に適用される基布地１０１と不織布１０２の接合体１０３の構成例を示す撮像図、図６は、防草人工芝１００の裏面側の構成例を示す撮像図である。
【００３２】
比較例に係る防草人工芝１００は、縦糸１０１ａと横糸１０１ｂで編んだ平織りの基布地１０１と不織布１０２から成る接合体１０３に所定間隔でタフティングされる人工芝用パイル１１０とから構成されている。
【００３３】
縦糸１０１ａとしては約１８本／２５．４ｍｍ（１インチ）、横糸１０１ｂとしては約１３本／２５．４ｍｍ（１インチ）の糸が用いられる。
【００３４】
図４（ｂ）に示すように、接合体１０３は、不織布１０２の上に、基布地１０１を貼付して構成されている。
【００３５】
人工芝用パイル１１０は、例えばポリプロピレン等の樹脂によって天然芝を模した繊維状に成形され、緑色等に着色したものが用いられる。人工芝用パイル１１０の長さは、基布地１０１の表側への露出部１１０ａの長さが、例えば１０ｍｍ〜５０ｍｍ程度となるように選定される。
【００３６】
また、不織布１０２の裏面および裏面に露出する人工芝用パイル１１０のバックステッチ部１１０ｂには、例えば粘度が１４０００（ｍＰａ・ｓ）のパイル固定用接着剤が塗布される。
【００３７】
この際に、パイル固定用接着剤は不織布１０２に吸収され、不織布１０２が有する微細な隙間を埋めてしまう。これにより、パイル固定用接着剤によって、基布地１０１と不織布１０２から成る接合体１０３の透水性が低下する。
【００３８】
そのため、図４（ｂ）および図６に示すように、比較例に係る防草人工芝１００では、基布地１０１と不織布１０２から成る接合体１０３を貫通する排水孔１２０を複数形成する必要が有った。
【００３９】
ところが、比較例に係る防草人工芝１００を地面に敷設した場合に、排水孔１２０から雑草が生えてしまい、表面側から露出するという不具合がある。このように雑草が露出すると美観を損なうと共に、雑草抜き等のメンテナンスが必要となり、管理コストが嵩むなどの難点があった。
【００４０】
また、防草人工芝１００と地面との間に防草シートを敷設することにより、排水孔１２０から雑草が生える事態を防止することはできるが、敷設に要するコストが嵩むという不都合もあった。
【００４１】
上述のように、本実施の形態に係る防草人工芝１によれば、比較例に係る防草人工芝１００が抱える難点を解消しつつ、透水性を確保すると共に、表面側に雑草が露出することを防止することができる。
【００４２】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。
【産業上の利用可能性】
【００４３】
本実施の形態に係る防草人工芝は、野球場、サッカー場、テニスコート等のスポーツ用途や、公園、学校、家庭庭園などに適用することができる。
【符号の説明】
【００４４】
１…防草人工芝
１０…基布地
１０ａ…縦糸
１０ｂ…横糸
１１…人工芝用パイル
１１ａ…露出部
１１ｂ…バックステッチ部
【図１】
2019138048.tif 000003
【図２】
2019138048.tif 000004
【図３】
2019138048.tif 000005
【図４】
2019138048.tif 000006
【図５】
2019138048.tif 000007
【図６】
2019138048.tif 000008